(57)【要約】【課題】発明者による以前に発明したストラップよりも長さ調節機能に優れたストラップと、そのストラップが取り付けられたショルダーバッグとリュックサックを提供する。【解決手段】環体５に取り付けられた肩ひも３を、長さ調節用器具４の枠体４ａのうち中軸４ｂと平行な一辺に通してから環体に通して、肩ひもを長さ調節用器具と環体の間で３重にする。そして、ショルダーバッグをたすき掛けにしたまま、片手で操作片７を引っ張ってストラップ２の長さを調節する。このストラップが取り付けられたショルダーバッグでは、ストラップを短くして、バッグ本体を背中に密着させて背負う。また、ストラップを長くして、バッグ本体の中身を取り出しやすいように、バッグ本体を背中から腹に回す。【選択図】図２
2015077252.tif 000002
【特許請求の範囲】
【請求項１】
長さを調節できるストラップであって、
前記ストラップが、肩ひもと、枠体とその枠体の内側に配設された中軸とを備えた長さ調節用器具と、環体とからなり、
前記環体に取り付けられた肩ひもが、前記長さ調節用器具の枠体のうち中軸と平行な一辺に通されてから、前記環体に通され、前記長さ調節用器具の中軸に通されてから、その他端が別の環体又は被吊止物に取り付けられていることを特徴とするストラップ。
【請求項２】
前記環体が、環とその環の内側に配設された中軸とからなり、
前記環体の環に取り付けられた肩ひもが、前記長さ調節用器具の枠体のうち中軸と平行な一辺に通されてから、前記環体の中軸に通されていることを特徴とする請求項１に記載のストラップ。
【請求項３】
前記長さ調節用器具を操作するための操作片が、前記肩ひもが通された枠体の一辺と対向する一辺に取り付けられていることを特徴とする請求項１又は請求項２に記載のストラップ。
【請求項４】
請求項１、請求項２又は請求項３に記載のストラップが取り付けられていることを特徴とするショルダーバッグ。
【請求項５】
請求項１、請求項２又は請求項３に記載のストラップが取り付けられていることを特徴とするリュックサック。
【発明の詳細な説明】
【技術分野】
【０００１】
この発明は、長さを調節できるストラップに関し、特に発明者による以前に発明したストラップよりも長さ調節機能に優れたストラップと、そのストラップが取り付けられたショルダーバッグとリュックサックに関する。
【背景技術】
【０００２】
ショルダーバッグ用のストラップとしては、肩ひも（特許文献１では、調節ベルトという）の先端部分に厚みを設けることで、肩ひもが長さ調節用器具（特許文献１では、コキカンという）から抜けないようにしたものが提案されている（例えば、特許文献１参照）。このストラップでは、ショルダーバッグをたすき掛けで背負ったまま、ショルダーバッグを軽く抱えながら、反対の手で肩ひもの先端部分をつかみ適当な長さになるまで引くとストラップを短くできる。また、ショルダーバッグを軽く抱えながら、反対の手で長さ調節用器具を持ち上げるとストラップを長くできるようになっている。
【０００３】
別のショルダーバッグ用のストラップとしては、肩ひも（特許文献２では、ストラップ本体という）を長さ調節用器具（特許文献２では、コキという）の挿通口から引き出す操作片を肩ひもの一端側に固定することで、片手でストラップの長さを調節できるようにしたものが提案されている（例えば、特許文献２参照）。このストラップでは、一方の手でバッグの取っ手を持ちながら、他方の手で操作片をつかみ、操作片をバッグから引き離すように引っ張るとストラップを縮めた状態、より正しくはストラップを折り畳んだ状態にできる。また、一方の手でバッグの取っ手を持ちながら、他方の手で操作片をつかみ、操作片をバッグから離すように引っ張って面ファスナーの係合を解き、肩ひもをコキから引き出すとストラップを伸ばした状態、より正しくはストラップを広げた状態にできるようになっている。
【０００４】
カメラ用のストラップとしては、接続部のうち第３支持部に取り付けられた肩ひもを、アジャスターに通してから、接続部のうち第２支持部に通すことで、より少ない操作量でストラップの長さを変更できるようにしたものが提案されている（例えば、特許文献３参照）。このストラップでは、アジャスターのレバー部を操作し、アジャスターの爪（つめ）部を肩ひもに噛（か）み込ませて、その長さに固定できるようになっている。
【０００５】
また、特許文献４には、長さ調節用器具（特許文献４では、コキという）の使い方が説明されている。特許文献４によると、特許文献４に記載の発明と従来の技術は共に、肩ひも（特許文献４では、ベルトという）の一端を長さ調節用器具の中軸に取り付けていることがわかる。
【０００６】
さらに、発明者による以前に発明したストラップとしては、肩ひもの一端を中軸と平行な枠体の一辺に取り付け、肩ひもの他端側を中軸に通すことで、その長さを調節できるようにしたものが提案されている（例えば、特許文献５参照）。このストラップでは、ストラップをたすき掛けにしたまま、コキを滑るように動かして、片手で長さを調節することができるようになっている。
【先行技術文献】
【特許文献】
【０００７】
【特許文献１】実用新案登録第３１２２６２３公報（段落０００６，００１０，００１２、図２）
【特許文献２】特開２００９−１６５７７３号公報（段落０００７，００１８，００１９、図３）
【特許文献３】特開２００９−３９４１５号公報（段落００３３，００３６、図３）
【特許文献４】特開２００４−３３７２７６号公報（段落０００２，０００３、図１，３，４，５，６，７）
【特許文献５】特願２０１２−１４６１８３（段落００１５、図２）
【発明の概要】
【発明が解決しようとする課題】
【０００８】
しかしながら、前記特許文献１に係るストラップでは、肩ひもの先端部分に厚みを設けることで、肩ひもが長さ調節用器具（以下、コキという）から抜けないようにしているものの、ストラップを伸ばすときにはショルダーバッグを軽く抱えておかないと、ショルダーバッグの重さによって望む長さを超えて肩ひもがコキに引き込まれてしまい、ストラップが長くなり過ぎしまう。また、ストラップを短くするときにも、ショルダーバッグを軽く抱えておかないと、ショルダーバッグが重い場合には肩ひもの先端部分を引きづらい。一方、ショルダーバッグが軽い場合には、肩ひもの先端部分を引く勢いによってショルダーバッグが回って、例えば前記特許文献１のようにショルダーバッグを脇（わき）に抱えていると、ショルダーバッグが背中の方向に移動してしまう。このように、前記特許文献１に係るストラップでは、片手でショルダーバッグを軽く抱えながら、反対の手で長さの調節をするために、両手がふさがってしまう。
【０００９】
また、前記特許文献１に係るストラップでは、肩ひもの先端部分をつかみ適当な長さになるまで引くようにしているために、コキから引き出した肩ひもが垂れ下がる。特に、ストラップを短く調節した場合には、コキから引き出した肩ひもが長く垂れ下がるために、邪魔になるとともに見栄えも悪くなってしまう。
【００１０】
前記特許文献２に係るストラップでは、肩ひもをコキから引き出す操作片を肩ひもの一端側に固定してストラップを折り畳んだ状態に、また固定した操作片を外してストラップを広げた状態にしているために、２段階にしか長さを調節できない。
【００１１】
また、前記特許文献２に係るストラップでは、一方の手でバッグの取っ手を持ちながら、他方の手で長さの調節をするために、両手がふさがってしまう。
【００１２】
前記特許文献３に係るストラップでは、アジャスターの爪部を肩ひもに噛み込ませて係止しているために、ストラップを首に掛けた状態で係止を解放すると、カメラの重さでストラップが伸びきって、言い換えると肩ひもが抜けきってしまい、思い通りに長さを調整できない。そのために、前記特許文献３に係るストラップは、ストラップを首に掛けた状態での長さ調節には適さない。
【００１３】
そして、前記特許文献３に係るストラップでは、仮にストラップを首に掛けた状態でその長さを調節しようとすると、一方の手でカメラを持ちながら、他方の手で肩ひもの長さを調節してから、アジャスターのレバー部を操作してその長さに固定しなければならず、両手がふさがってしまう。
【００１４】
また、前記特許文献３に係るストラップでは、アジャスターの爪部を肩ひもに噛み込ませて、その長さに固定するために、コキとは別にアジャスターが必要になる。そして、アジャスターは、一般にコキよりの厚みがあるために、ストラップがかさ張ってしまう。
【００１５】
さらに、前記特許文献１，２，４に係るストラップでは、ストラップを所望の長さになるように肩ひもをコキの中軸から引き出してから、肩ひもの先端部分を引っ張って肩ひもを中軸に、より正しくは肩ひもを中軸に取り付けられている肩ひもに密着させて長さを調節している。そのために、肩ひもの先端部分を引っ張るときにバッグの重さによって肩ひもがコキに引き込まれて、ストラップが所望の長さよりも長くなってしまう。
【００１６】
前記特許文献５に係るストラップでは、トラップをたすき掛けにしたまま、片手で長さを調節するといったストラップの新たな機能を提供したところ、より長さ調節機能に優れたストラップを提供してほしいとの要望を耳にするようになった。
【００１７】
そこで、この発明では、前記した課題を解決し、特に発明者による以前に発明したストラップ（前記特許文献５に係るストラップのこと。以下、先の発明ともいう）よりも長さ調節機能に優れたストラップと、そのストラップが取り付けられたショルダーバッグとリュックサックを提供することを目的とする。
【課題を解決するための手段】
【００１８】
前記課題を解決するため、請求項１に係る発明では、肩ひもと、枠体とその枠体の内側に配設された中軸とを備えた長さ調節用器具（以下、コキという）と、環（かん）体（以下、コキカンという）とからなる長さを調節できるストラップを、コキカンに取り付けられた肩ひもを、コキの枠体のうち中軸と平行な一辺に通してから、コキカンに通した。そして、コキカンに通した肩ひもを、コキの中軸に通してから、肩ひもの他端を別のコキカンか被吊止物に取り付けた。
【００１９】
請求項２に係る発明では、コキカンを環（わ）とその環の内側に配設された中軸とからなるように構成し、コキカンの環に取り付けられた肩ひもを、コキの枠体のうち中軸と平行な一辺に通してから、コキカンの中軸に通した。そして、コキカンの中軸に通された肩ひもを、コキの中軸に通してから、肩ひもの他端を別のコキカンか被吊止物に取り付けた。
【００２０】
請求項３に係る発明では、コキを操作するための操作片を、肩ひもが通された枠体の一辺と対向する一辺に取り付けた。
【００２１】
請求項４に係る発明では、前記請求項１から前記請求項３に係る発明であるストラップを、ショルダーバッグに取り付けた。
【００２２】
請求項５に係る発明では、前記請求項１から前記請求項３に係る発明であるストラップを、リュックサックに取り付けた。
【発明の効果】
【００２３】
請求項１に係る発明によれば、コキカンに取り付けられた肩ひもを、コキの枠体のうち中軸と平行な一辺に通してからコキカンに通し、コキカンに通した肩ひもを、コキの中軸に通したので、肩ひもをコキとコキカンの間で３重にすることができる。ここで、前記特許文献５に係る発明者による以前に発明したストラップでは、肩ひもの重なりが２重であるのに対し、請求項１に係る発明では３重にすることができるので、先の発明に比べて、長さ調節機能を約２倍に向上させることができる。
【００２４】
このように、請求項１に係る発明によれば、先の発明に比べて、長さ調節機能を約２倍に向上させることができるので、身長差や体格差により幅広く対応することができる。そこで、一本のストラップで、成人男性から成人女性、そして子供まで幅広く対応することができる。
【００２５】
また、請求項１に係る発明によれば、先の発明に比べて、長さ調節機能を２倍に向上させることができるので、肩掛けストラップよりも短い、例えばリュックサックの肩ベルトにこのストラップを適用することもできる。
【００２６】
さらに、請求項１に係る発明によれば、先の発明に比べて、長さ調節機能を約２倍に向上させることができるので、より少ない操作量でストラップの長さを調節することができるために、長さの調節をより早く行うこともできる。
【００２７】
請求項２に係る発明によれば、コキカンを環とその環の内側に配設された中軸とからなるように構成し、コキカンの環に取り付けられた肩ひもを、コキの枠体のうち中軸と平行な一辺に通してから、コキカンの中軸に通したので、請求項１に係る発明と異なり、コキカンにおいて肩ひもが互いに接した状態で重ならないようにできる。そのために、ストラップの長さを調節するときに、コキカンにおいて肩ひもが互いに擦れ合うといった抵抗がないために、請求項１に係る発明と比べて、より軽い力で長さの調整を行うことができる。
【００２８】
請求項３に係る発明によれば、コキを操作するための操作片を、肩ひもが通された枠体の一辺と対向する一辺に取り付けたので、操作片をつかめば、コキをつかむのに比べて、より簡単にコキを操作することができる。そのために、より簡単に、ストラップをたすき掛けにしたまま、片手でストラップの長さを調節することができる。
【００２９】
請求項４に係る発明によれば、ショルダーバッグに請求項１から請求項３のストラップを取り付けたので、ストラップをたすき掛けにしたまま、片手でストラップの長さを調節することができる。さらに、コキを滑らせるように動かしてストラップの長さを調節するので、無段階に、所望の長さに微調節することもできる。また、コキから引き出した肩ひもが垂れ下がらないようにもできる。
【００３０】
また、請求項４に係る発明によれば、ストラップをたすき掛けにしたまま、片手でストラップの長さを調節できるので、ショルダーバッグをたすき掛けにしやすいようにストラップを長くしておいて、ショルダーバッグをたすき掛けにしてから、ショルダーバッグが背中に密着するようにストラップを短くすることができる。このようにすると、ショルダーバッグが体に密着することから、体への負担を軽減することができる。
【００３１】
そして、従来のショルダーバッグでは、ショルダーバッグをたすき掛けにしやすいようにストラップを長くしているために、ショルダーバッグが腰の位置まで落ちているところ、請求項４に係る発明によれば、ショルダーバッグをたすき掛けにしてから、ショルダーバッグが背中に密着するようにストラップを短くすると、ショルダーバッグを背中の位置まで上げられるので、ショルダーバッグをたすき掛けにした姿をりりしい印象にすることができる。
【００３２】
また、従来のショルダーバッグでは、仮にショルダーバッグが背中に密着するようにストラップを短くすると、ショルダーバッグを下ろさないとショルダーバッグの中身を取り出せないところ、請求項４に係る発明によれば、ストラップをたすき掛けにしたままでストラップを長くすると、ショルダーバッグを背中から腹に回せられるので、ショルダーバッグをたすき掛けにしたままでショルダーバッグの中身を取り出すことができる。
【００３３】
請求項５に係る発明によれば、リュックサックに請求項１から請求項３のストラップを取り付けたので、リュックサックを背負ったまま、片手でストラップの長さを調節することができる。さらに、コキを滑らせるように動かしてストラップの長さを調節するので、無段階に、所望の長さに微調節することもできる。また、コキから引き出した肩ひもが垂れ下がらないようにもできる。
【００３４】
また、請求項５に係る発明によれば、リュックサックを背負ったまま、片手でストラップの長さを調節できるので、リュックサックを背負いやすいようにストラップを長くしておいて、リュックサックを背負ってから、リュックサックが背中に密着するようにストラップを短くすることができる。このようにすると、リュックサックが体に密着することから、体への負担を軽減することができる。そして、リュックサックを下ろすときに、ストラップを長くすると、リュックサックを下ろしやすくもできる。
【００３５】
そして、従来のリュックサックでは、リュックサックを背負いやすいようにストラップを長くしているために、リュックサックが腰の位置まで落ちているところ、請求項５に係る発明によれば、リュックサックを背負ってから、リュックサックが背中に密着するようにストラップを短くすると、リュックサックを背中の位置まで上げられるので、リュックサックを背負った姿をりりしい印象にすることができる。
【００３６】
さらに、請求項１から請求項５に係る発明によれば、ストラップを掛けたまま、片手でストラップの長さを調節できるので、ストラップの長さを調節のために両手がふさがることがない。
【図面の簡単な説明】
【００３７】
【図１】実施形態に係るショルダーバッグの斜視図である。
【図２】実施形態に係るストラップの斜視図である。
【図３】（ａ）は実施形態に係るストラップの長さを調節する仕組みを説明する斜視図のうち、調節前の状態を示す斜視図であり、（ｂ）はストラップを短くする仕組みを示す斜視図であり、（ｃ）はストラップを長くする仕組みを示す斜視図である。
【図４】実施形態に係るショルダーバッグについて、（ａ）はストラップを短くする動作を説明する斜視図のうち、動作前を示す斜視図であり、（ｂ）は動作後を示す斜視図である。
【図５】実施形態に係るショルダーバッグについて、（ａ）はストラップを長くする動作を説明する斜視図のうち、動作前を示す斜視図であり、（ｂ）は動作後を示す斜視図である。
【図６】実施形態に係るリュックサックについて、（ａ）は実施形態に係るストラップを短くする動作を説明する斜視図のうち、動作前を示す斜視図であり、（ｂ）は動作後を示す斜視図である。
【図７】実施形態に係るリュックサックについて、（ａ）は実施形態に係るストラップを長くする動作を説明する斜視図のうち、動作前を示す斜視図であり、（ｂ）は動作後を示す斜視図である。
【図８】他の実施形態に係るストラップの斜視図である。
【発明を実施するための形態】
【００３８】
まず、この発明の創作の基礎となる事項について簡単に説明する。発明者は、主にフィッシングバッグの企画から製造、販売までを行っており、近年ではアウトドアバッグやカジュアルバッグも取り扱っている。そして、発明者は、バッグ職人として実用性を重視しており、「必要な物を収納しやすいこと。取り出しやすくて、そのあとにまた収納するときもスムーズなこと」にこだわってきた。
【００３９】
発明者は、先の発明を創作する際に、ショルダーバッグを背中に密着させると体への負担が軽いにもかかわらず、多くの人がショルダーバッグを腰の位置まで下げていることに着目した。そして、ショルダーバッグを腰の位置まで下げているのは、ショルダーバッグをたすき掛けにしたままでもショルダーバッグの中身を取り出しやすいように、ショルダーバッグを背中から腹に回せられるように、ストラップを長くしているためと気付いた。
【００４０】
ここで、従来のストラップにも長さを調節できるものがあるところ、従来のストラップは、体型に合わせて長さを調節することを目的にしていた。そのために、従来のストラップでは、いったん体格に合わせて長さを調節すれば、頻繁に長さを変える必要がなく、ショルダーバッグをたすき掛けにしたまま長さをスムーズに調節できるものではなかった。
【００４１】
そこで、発明者は、ショルダーバッグをたすき掛けにしたままでも、ストラップの長さをスムーズに、かつ素早く調節することができると、ショルダーバッグの中身を取り出しすときだけ、ショルダーバッグを背中から腹に回せられるように、ストラップを長くすればよく、ショルダーバッグを背中に密着させて背負えることを見いだし、先の発明を創作するに至ったものである。
【００４２】
発明者は、先の発明によってストラップをたすき掛けにしたまま、片手で長さを調節するといったストラップの新たな機能を提供したところ、身長差や体格差により幅広く対応できるようなストラップを提供してほしいとの要望を耳にするようになった。
【００４３】
また、発明者は、ショルダーバッグのほかに、リュックサックも提供してほしいとの要望を耳にするようになった。
【００４４】
そこで、発明者は、先の発明よりも長さ調節機能に優れたストラップであれば、一本のストラップで成人男性から成人女性、そして子供まで幅広く対応することができ、またショルダーバッグよりも短いストラップが取り付けられているリュックサックにも片手で長さを調節できるストラップを取り付けられることを見いだし、この発明を創作するに至ったものである。
【００４５】
次に、この発明の実施形態について、適宜図面を参照しながら詳細に説明する。図１は、実施形態に係るショルダーバッグの斜視図である。図１に示すように、ショルダーバッグ１は、ストラップ２とバッグ本体Ｂとを有して構成されている。ここでは、ストラップ２をバッグ本体Ｂから取り外せるように、ストラップ２をバッグ本体Ｂの両側面に設けられた係止具ｂ，ｂに引っ掛けるように構成されている。
【００４６】
図２は、実施形態に係るストラップ２の斜視図である。図２に示すように、ストラップ２は、肩ひも３と、長さ調節用器具（以下、コキという）４と、環体（以下、コキカンという）５，６と、操作片７とを有して構成されている。
【００４７】
肩ひも３は、ひも状の部材である。肩ひも３は、たすき掛け、より具体的には肩から脇に斜めに掛けて、バッグ本体Ｂ(図１参照)を背負えるようにする部材である。
【００４８】
コキ４は、枠状の部品であって、枠体４ａと、枠体４ａの内側に配設された中軸４ｂとからなる。コキ４は、肩ひも３をずれないように固定し、肩ひも３の長さを調節する部品である。
【００４９】
コキカン５は、環状の部品であり、肩ひも３をすり回るようにと、すり動くように保持する部品である。実施形態に係るストラップ２では、コキカン５は、環５ａと、環５ａの内側に配設された中軸５ｂとからなる。そして、コキカン５は、ここでは図１に示すように、ストラップ２をバッグ本体Ｂから取り外せるように鉤（かぎ）形のものが付いた、いわゆるナスカンである。
【００５０】
コキカン６は、環状の部品であり、肩ひも３をすり回るように保持する部品である。コキカン６は、ここでは図１に示すように、ストラップ２をバッグ本体Ｂから取り外せるように鉤形のものが付いた、いわゆるナスカンである。
【００５１】
操作片７は、小片状の部材であり、肩ひもの３が通された枠体４ａの一辺と対向する一辺に取り付けられている。操作片７は、ここでは肩ひも３の切れ端を用い、２つ折りの内面には図示しない面ファスナーが取り付けられている。
【００５２】
図２に示すように、実施形態に係るストラップ２では、コキカンの環５ａに取り付けられた肩ひも３が、枠体４ａのうち中軸４ｂと平行な一辺に通されてから、コキカンの中軸５ｂに通されている。そして、コキカンの中軸５ｂに通された肩ひも３が、コキの中軸４ｂに通されてから、肩ひもの他端３ｂが別のコキカン６に取り付けられている。
【００５３】
以上のように構成されたストラップ２では、コキカンの環５ａに取り付けられた肩ひも３を、枠体４ａのうち中軸４ｂと平行な一辺に通してから、コキカンの中軸５ｂに通しているために、肩ひも３がコキ４とコキカン５の間で３重になる。ここで、先の発明では、肩ひもの重なりが２重であるのに対し、ストラップ２では３重のために、先の発明に比べて、長さ調節機能が約２倍になる。
【００５４】
また、以上のように構成されたストラップ２では、コキカンの環５ａに取り付けられた肩ひも３を、枠体４ａのうち中軸４ｂと平行な一辺に通してから、コキカンの中軸５ｂに通しているために、コキカン５において肩ひも３が互いに接した状態で重ならない。そのために、ストラップ２の長さを調節するときに、コキカン５において肩ひも３が互いに擦れ合うことがない。
【００５５】
さらに、以上のように構成されたストラップ２では、一本の肩ひも３でストラップ２を構成しているために、具体的には肩ひもの一端３ａをコキカンの環５ａに取り付け、肩ひもの他端３ｂを別のコキカン６に取り付けているために、前記特許文献１に係るストラップのように、コキから引き出した肩ひもが垂れ下がらない。
【００５６】
図３は、実施形態に係るストラップ２の長さを調節する仕組みを説明する斜視図である。そして、図３の（ａ）は、調節前の状態を示す斜視図であり、図３の（ｂ）は、ストラップ２を短くする仕組みを示す斜視図であり、図３の（ｃ）は、ストラップ２を長くする仕組みを示す斜視図である。
【００５７】
図３の（ｂ）に示すように、操作片７を矢印の方向に引っ張ると、コキ４が滑るように矢印の方向に動く。そして、肩ひも３の重なりが増えて、より詳しくはコキ４とコキカン５の間の肩ひも３が３重になる長さが長くなって、ストラップ２が短くなる。
【００５８】
図３の（ｃ）に示すように、操作片７を矢印の方向に引っ張ると、コキ４が滑るように矢印の方向に動く。そして、肩ひも３の重なりが減って、より詳しくはコキ４とコキカン５の間の肩ひも３が３重になる長さが短くなって、ストラップ２が長くなる。
【００５９】
実施形態に係るストラップ２では、コキカンの環５ａに取り付けられた肩ひも３を、枠体４ａのうち中軸４ｂと平行な一辺に通してからコキカンの中軸５ｂに通し、コキカンの中軸５ｂに通した肩ひも３をコキの中軸４ｂに通しているために、コキ４が滑るように動く。そして、実施形態に係るストラップ２では、コキ４が滑るように動くために、思い通りにコキ４を動かして止められる。このように、実施形態に係るストラップ２では、思い通りにコキ４を動かして止められるために、前記特許文献３に係るストラップと異なり、アジャスターが要らない。
【００６０】
図４は、実施形態に係るショルダーバッグ１について、ストラップ２を短くする動作を説明する斜視図である。図４の（ａ）は動作前を示す斜視図であり、図４の（ｂ）は動作後を示す斜視図である。
【００６１】
図４の（ａ）に示すように、操作片７をつかみ、操作片７を矢印の方向に、胸から脇の方向に引っ張ると、コキ４が矢印の方向に、胸から脇の方向に滑るように動いて、ストラップ２は図３の（ａ）から（ｂ）の状態になり、ストラップ２が短くなる。そして、ストラップ２を短くすることで、図示しないバッグ本体Ｂを背中に密着させて背負える。
【００６２】
図４の（ａ），（ｂ）に示すように、ストラップ２の長さの調節を、ショルダーバッグ１（図１参照）をたすき掛けに背負ったまま、ここでは操作片７を右手でつかみ、操作片７を胸から脇の方向に引っ張って、片手で行える。さらに、ストラップ２の長さの調節を、コキ４を滑らせるように動かして思い通りの位置に止めて、正確にかつスムーズに行える。
【００６３】
図５は、実施形態に係るショルダーバッグ１について、ストラップ２を長くする動作を説明する斜視図である。図５の（ａ）は動作前を示す斜視図であり、図５の（ｂ）は動作後を示す斜視図である。
【００６４】
図５の（ａ）に示すように、操作片７をつかみ、操作片７を矢印の方向に、脇から胸の方向に引っ張ると、コキ４が矢印の方向に、脇から胸の方向に滑るように動いて、ストラップ２は図３の（ｂ）から（ｃ）の状態になり、ストラップ２が長くなる。そして、ストラップ２を長くすることで、図示しないバッグ本体Ｂの中身を取り出しやすいように、バッグ本体Ｂを背中から腹に回せられる。
【００６５】
図６は、実施形態に係るリュックサックについて、ストラップ２を短くする動作を説明する斜視図である。図６の（ａ）は動作前を示す斜視図であり、図６の（ｂ）は動作後を示す斜視図である。
【００６６】
図６の（ａ），（ｂ）に示すように、リュックサック８は、ストラップ２と背負いひもＲと図示しないサック本体とを有して構成されている。ここでは、ストラップ２を背負いひもＲから取り外せるように、ストラップ２を背負いひもＲに設けられた係止具ｒに嵌（は）め合わせるように構成されている。
【００６７】
図６の（ａ）に示すように、操作片７をつかみ、操作片７を矢印の方向に、胸から脇の方向に引っ張ると、コキ４が矢印の方向に、胸から脇の方向に滑るように動いて、ストラップ２は図３の（ａ）から（ｂ）の状態になり、ストラップ２が短くなる。そして、ストラップ２を短くすることで、図示しないサック本体を背中に密着させて背負える。
【００６８】
図６の（ａ）、（ｂ）に示すように、ストラップ２の長さの調節を、リュックサック８を背負ったまま、右側のストラップ２については操作片７を右手でつかみ、操作片７を胸から脇の方向に引っ張って、片手で行える。さらに、ストラップ２の長さの調節を、コキ４を滑らせるように動かして思い通りの位置に止めて、正確にかつスムーズに行える。
【００６９】
図７は、実施形態に係るリュックサック８について、ストラップ２を長くする動作を説明する斜視図である。図７の（ａ）は動作前を示す斜視図であり、図７の（ｂ）は動作後を示す斜視図である。
【００７０】
図７の（ａ）に示すように、操作片７をつかみ、操作片７を矢印の方向に、脇から胸の方向に引っ張ると、コキ４が矢印の方向に、脇から胸の方向に滑るように動いて、ストラップ２は図３の（ｂ）から（ｃ）の状態になり、ストラップ２が長くなる。そして、ストラップ２を長くすることで、リュックサック８を下ろしやすい。
【００７１】
図８は、他の実施形態に係るストラップの斜視図である。図８に示すように、他の実施形態に係るストラップ２１では、コキカン５１のみが実施形態に係るストラップ２（図２参照）と異なる。
【００７２】
コキカン５１は、環状の部品であり、肩ひも３をすり回るようにと、すり動くように保持する部品である。コキカンは５１は、図８に示すように、一つの環である点で、環５ａと環５ａの内側に配設された中軸５ｂとからなるコキカン５（図２参照）と異なる。コキカン５１は従来のストラップに使われている部品であるために、他の実施形態に係るストラップ２１では、肩ひも３と、コキ４と、コキカン５１，６と、すべての部品を従来のストラップに使われているもので賄える。
【００７３】
以上、この発明の実施形態について説明したが、この発明は前記実施形態には限定されない。例えば、実施形態に係るストラップ２では、ショルダーバッグ１に取り付けられる場合について説明したが、例えばトートバッグ、ウエストバッグ、バックパックなどのバッグでも構わない。さらに、バッグ以外でも、例えばカメラのストラップ、抱っこひも、ギターのストラップでも構わない。
【００７４】
また、実施形態に係るストラップ２では、バッグ本体Ｂから取り外せるように、コキカン５、６としてナスカンを用いたが、ストラップ２をバッグ本体Ｂに取り付ける場合にはコキカンで構わない。
【００７５】
この発明において中軸４ｂと平行な辺とは、中軸４ｂと交差する辺ではないことをいう。
【符号の説明】
【００７６】
１    ショルダーバッグ
２    ストラップ
３    肩ひも
３ａ  一端
３ｂ  他端
４    長さ調節用器具（コキ）
４ａ  枠体
４ｂ  中軸
５    環体（コキカン）
５ａ  環
５ｂ  中軸
６    環体（コキカン）
７    操作片
８    リュックサック
【図１】
2015077252.tif 000003
【図２】
2015077252.tif 000004
【図３】
2015077252.tif 000005
【図４】
2015077252.tif 000006
【図５】
2015077252.tif 000007
【図６】
2015077252.tif 000008
【図７】
2015077252.tif 000009
【図８】
2015077252.tif 000010